(57)【要約】      （修正有）【課題】捕集から袋内に収納するまでの作業性が良好で取りこぼしが少なく、しかも、収納時の強烈な臭いを減少させることができるペット用マナーバッグを提供する。【解決手段】前後一対の側面部１と底部とを有する袋体Ｐを形成する。底部にマチ部を形成する。該マチ部と前後側面部１とで捕集ドーム３を形成する。捕集ドーム３でペットの糞Ｘを包み込んで捕集するように構成する。袋体Ｐ開口部の内周面に帯状の持ち手を設ける。酸性基性消臭剤を添加したポリオレフィンフィルムにて袋体Ｐを形成する。【選択図】図４
0003182734.tif 000002
【実用新案登録請求の範囲】
【請求項１】
前後一対の側面部と底部とを有する合成樹脂製フィルムの袋体で形成されたペット用マナーバッグにおいて、底部にマチ部を形成し、該マチ部と前後側面とで成すペットの糞捕集用の捕集ドームを形成し、袋体内部の捕集ドームでペットの糞を包み込んで捕集するように構成したことを特徴とするマナーバッグ。
【請求項２】
前記袋体は、合成樹脂製フィルムにて構成され、開口部の内周面に帯状の持ち手が設けられた請求項１記載のペット用マナーバッグ。
【請求項３】
前記袋体は、酸性基性消臭剤を添加したポリオレフィンフィルムにて形成された請求項１又は２記載のペット用マナーバッグ。
【請求項４】
前記袋体の開口部に、該開口部の位置を表示する表示部を突設した請求項１乃至３いずれか記載のペット用マナーバッグ。
【考案の詳細な説明】
【技術分野】
【０００１】
本考案は、犬の散歩中に排便されたペットの糞を処理する際に使用するペット用マナーバッグに係り、特に、ペットの糞の捕集が容易で使用時の強烈な悪臭を軽減するペット用マナーバッグに関するものである。
【背景技術】
【０００２】
従来この種のマナーバッグとして特許文献１乃至３に記載のマナーバッグが提案されている。特許文献１に記載のマナーバッグは、捕集部を手袋状に形成したもので、使用者はこの手袋状の部分に手を差し込んでペットの糞を捕集するものである。
【０００３】
また、特許文献２に記載のマナーバッグは、紙層の内面に生分解性樹脂層を有する複合シートによって形成されたもので、このマナーバッグの捕集部は、二股に分かれた底部を捕集部として使用する。使用者は、二つに分かれた底部でペットの糞を挟み込んで捕集するように構成している。
【０００４】
更に、特許文献３に記載のマナーバッグは、袋体の底部に、汚物の感触が手に伝わりにくくするための緩衝材を貼り付けたもので、底部が断面逆三角形状を成し、側面から底部にかけて緩衝材を貼り付けている。
【先行技術文献】
【特許文献】
【０００５】
【特許文献１】特許第４１４６５０３号公報
【特許文献２】特開２００８‐３０７０２４号公報
【特許文献３】実用新案登録第３１０８１１１号公報
【考案の開示】
【考案が解決しようとする課題】
【０００６】
ところが、これら従来のマナーバッグでは、いずれも捕集時の作業に手間取るといった課題があった。特許文献１では、捕集部が手袋状を成しているので、使用時に五本の指を差し込む必要があった。この種のマナーバッグは使い捨てのため、極めて薄いフィルムが使用されるので、このような材質からなる手袋状の部分に指を差し込むこと自体が極めて面倒な作業になる虞があった。
【０００７】
また、特許文献２によると、二つに分かれた底部でペットの糞を挟み込んで捕集するもので、捕集後は袋を裏返しにして挟み込んだペットの糞を袋の中に収納する。ところが、底部が二つに分かれているので、袋を裏返しにする際に、捕集したペットの糞を取りこぼしてしまう虞がある。このようなマナーバッグでは、袋を裏返しにしてしまった後は、再びペットの糞を捕集することが困難な形状になっている。そのため、一旦捕集したペットの糞は、できるだけ取りこぼさずに袋内に収納することが望ましい。
【０００８】
更に、特許文献３は、汚物の感触が手に伝わりにくくするための緩衝材を貼り付けて、底部が断面逆三角形状を成しているので、ペットの糞を捕集するには極めて難しい形状になっている。
【０００９】
このように、従来のマナーバッグでは、捕集から袋内に収納するまでの作業性に課題を有するものであった。また、これらのマナーバッグはいずれも薄いフィルム材を使用しているので、ペットの糞を収納した袋からは極めて強い臭いが生じることになる。そのため、散歩の始めにペットの糞を捕集して収納した場合、残りの散歩の間、強烈な臭いのマナーバッグを持ち歩かなければならないといった不都合もあった。
【００１０】
そこで本考案は、上述の課題を解消すべく案出されたもので、捕集から袋内に収納するまでの作業性が良好で取りこぼしが少なく、しかも、収納時の強烈な臭いを減少させることができるペット用マナーバッグの提供を目的とするものである。
【課題を解決するための手段】
【００１１】
本考案の第１の手段は、前後一対の側面部１と底部２とを有する合成樹脂製フィルムの袋体Ｐで形成されたペット用マナーバッグにおいて、底部２にマチ部２Ａを形成し、該マチ部２Ａと前後側面部１とで成すペットの糞Ｘ捕集用の捕集ドーム３を形成し、袋体Ｐ内部の捕集ドーム３でペットの糞Ｘを包み込んで捕集するように構成したことにある。
【００１２】
第２の手段の前記袋体Ｐは、合成樹脂製フィルムにて構成され、開口部の内周面に帯状の持ち手４が設けられたものである。
【００１３】
第３の手段の前記袋体Ｐは、酸性基性消臭剤を添加したポリオレフィンフィルムにて形成されたものである。
【００１４】
第４の手段は、前記袋体Ｐの開口部に、該開口部の位置を表示する表示部５を突設したことにある。
【考案の効果】
【００１５】
本考案の請求項１の如く、底部２にマチ部２Ａを形成し、該マチ部２Ａと前後側面１とで成すペットの糞Ｘ捕集用の捕集ドーム３を形成し、袋体Ｐ内部の捕集ドーム３でペットの糞Ｘを包み込んで捕集するように構成したことにより、ペットの糞Ｘを捕集する際に、捕集ドーム３に包み込んだ状態を保ちながら裏返しにした袋体Ｐ内に収納できるので、取りこぼしが極めて少なくなった。
【００１６】
請求項２のように、袋体Ｐは、合成樹脂製フィルムにて構成され、開口部の内周面に帯状の持ち手４が設けられているので、収納時に持ち手４を介して袋体Ｐを持ち歩くことができる。
【００１７】
請求項３によると、袋体Ｐは、酸性基性消臭剤を添加したポリオレフィンフィルムにて形成されたものであるから、特にアンモニアを化学的に吸着できるので、薄い合成樹脂製フィルムの袋体Ｐでも強烈な臭いを減少させることが可能になる。
【００１８】
請求項４のごとく、袋体Ｐの開口部に、該開口部の位置を表示する表示部５を突設したことで、折り畳んでいる状態から極めて簡単に袋体Ｐの開口部を探し出すことができる。しかも、袋体Ｐを開封する際に、この突設した表示部５を指で挟みこすり合わせるだけで簡単に開封することができる。この結果、薄い合成樹脂製フィルムの袋体Ｐでも、瞬時に使用可能な状態にすることができ、ペットの糞Ｘの捕集を短時間で行うことが可能になる。
【００１９】
このように本考案によると、捕集から袋内に収納するまでの作業性が良好で取りこぼしが少なく、しかも、収納時の強烈な臭いを減少させることができるものである。
【図面の簡単な説明】
【００２０】
【図１】本考案の一実施例を示す正面図である。
【図２】本考案の一実施例を示す一部切欠斜視図である。
【図３】本考案の捕集ドームを示す底部から見た斜視図である。
【図４】本考案の使用状態を示す斜視図である。
【図５】本考案の使用状態を示す斜視図である。
【図６】本考案の使用状態を示す斜視図である。
【図７】本考案の使用状態を示す斜視図である。
【図８】本考案の他の実施例を示す製作工程図である。
【考案を実施するための形態】
【００２１】  本考案で使用する合成樹脂製の袋体Ｐは、ポリオレフィンフィルムや、OPPフィルムシート、CCPフィルム、PEフィルム、A-PETフィルム、PETフィルムシート、OPSフィルムなどの使用も可能である。更に、袋体Ｐの材質として、酸性基性消臭剤を添加したフィルムを使用している。例えば、ＬＬＤＰＥに、（公序良俗違反につき、不掲載）を５部添加した厚み３０μmのフィルムなどが好ましい。
【００２２】
袋体Ｐは、前後一対の側面部１と底部２とを有するもので、底部２にマチ部２Ａを形成している（図１参照）。更に、マチ部を設けていない側面部１と底部２のマチ部２Ａとで、略楕円形状の捕集ドーム３を形成している（図３参照）。この捕集ドーム３は、ペットの糞Ｘを周囲から包み込むように形成されている。
【００２３】
更に、袋体Ｐの開口部には、内周面に沿って帯状の持ち手４が設けられている（図２参照）。この持ち手４は、袋体Ｐを裏返しにしてペットの糞Ｘを収納した時に、持ち手４が袋体Ｐの表に現れる。この持ち手４を利用して袋体Ｐの開口部を縛り付け、残った持ち手４を手提げとして使用する。図示の持ち手４は帯状のフィルムを長手方向に沿って二重に折り畳んだものを使用している（図２参照）。
【００２４】
図８は本考案の他の実施例を示す製作工程図である。この実施例では、袋体Ｐの開口部に表示部５を突設したものである。図示の表示部５は、開口縁の長手中央に半円状の表示部５を形成している。使用者は、この表示部５を見つけることで、簡単に袋体Ｐの開口部の位置を判別することができる。そして、開封時には、この表示部５を指で挟み、こすり合わせるだけで簡単に開封することができる。この表示部５の製作工程は、筒状のフィルムを使用し、開口部と底部とに位置する部分を内側に折り込んだ状態にする（図８（イ）参照）。次に、側面部１を溶着して袋体Ｐを形成し開口部を切り抜く（同図（ロ）参照）。このとき、開口縁に表示部５を形成すると、開口縁から表示部５が突出した状態になる（同図（ハ）参照）。そして、表示部５をこすり合わせて開封した後、開口部から持ち手４を引き出して使用する（同図（ニ）参照）。このように、袋体Ｐの開口部に表示部５が形成されるので、使用者は表示部５の識別や開封が容易になる。この表示部５は図例に限定されるものではなく、表示部５の形状や位置等は任意に変更することができる。
【００２５】
次に、図４乃至図７に基づいて本考案の使用手順を説明する。使用者は、袋体Ｐの内部に手を差し込み、捕集ドーム３でペットの糞Ｘを周囲から包み込む（図４参照）。次に、捕集ドーム３内に包み込んだ状態を保ちながら袋体Ｐを裏返しにしてペットの糞Ｘを袋体Ｐに収納する（図５参照）。最後に、持ち手４で袋体Ｐの開口部を縛り付け（図６参照）、残った持ち手４で袋体Ｐを吊下げるものである（図７参照）。
【００２６】
尚、図示例の各構成は、本考案の一実施例に過ぎず、袋体Ｐの材質や添加剤など、本考案の要旨を変更しない範囲において自由に選択することができる。
【符号の説明】
【００２７】
Ｘ  糞
Ｐ  袋体
１  側面部
２  底部
２Ａ  マチ部
３  捕集ドーム
４  持ち手
【図１】
0003182734.tif 000003
【図２】
0003182734.tif 000004
【図３】
0003182734.tif 000005
【図４】
0003182734.tif 000006
【図５】
0003182734.tif 000007
【図６】
0003182734.tif 000008
【図７】
0003182734.tif 000009
【図８】
0003182734.tif 000010
【手続補正書】
【提出日】平成25年2月7日(2013.2.7)
【手続補正１】
【補正対象書類名】実用新案登録請求の範囲
【補正対象項目名】請求項１
【補正方法】変更
【補正の内容】
【請求項１】
前後一対の側面部と底部とを有する合成樹脂製フィルムの袋体で形成されたペット用マナーバッグにおいて、底部にマチ部を形成し、該マチ部と前後側面とで成すペットの糞捕集用の捕集ドームを形成し、袋体内部の捕集ドームでペットの糞を包み込んで捕集するように構成したことを特徴とするペット用マナーバッグ。
【手続補正２】
【補正対象書類名】明細書
【補正対象項目名】００２１
【補正方法】変更
【補正の内容】
【００２１】
本考案で使用する合成樹脂製の袋体Ｐは、ポリオレフィンフィルムや、OPPフィルムシート、CCPフィルム、PEフィルム、A-PETフィルム、PETフィルムシート、OPSフィルムなどの使用も可能である。更に、袋体Ｐの材質として、酸性基性消臭剤を添加したフィルムを使用している。